(57)【要約】【課題】一の連続番組の次回以降の放送の録り逃しを防止する記録再生装置及びプログラムを提供する。【解決手段】録画予約部１３は、番組情報を取得する通信部１により取得した番組情報に基づいて、一定間隔で放送される連続番組の記録予約を行う。制御部１０は、この記録予約に基づき、記憶部７に記録された一の連続番組終了後の第１期間内に放送される他の連続番組を記録する。制御部１０は、一の連続番組が第１期間内に再生されたか否かを判定し、再生されない場合、他の連続番組後の連続番組の記録予約を取り消す。他の連続番組後の連続番組の記録予約を取り消す前には、他の連続番組以降の連続番組の記録を行うか否かの情報が出力される。【選択図】図１
2009141894.tif 000002
【特許請求の範囲】
【請求項１】
番組情報を取得する取得手段と、該取得手段により取得した番組情報に基づいて一定間隔で放送される連続番組の記録予約を行う予約手段とを備えた記録再生装置において、
既記録の一の連続番組終了後の第１期間内に放送される他の連続番組を前記予約手段により行った記録予約に基づき記録する記録手段と、
前記一の連続番組が前記第１期間内に再生されたか否かを判定する判定手段と、
該判定手段により、前記一の連続番組が再生されなかったと判定した場合、前記予約手段において行った前記他の連続番組後の連続番組の記録予約を取り消す取消手段と
を備えることを特徴とする記録再生装置。
【請求項２】
前記取消手段により前記予約手段において行った前記他の連続番組後の連続番組の記録予約を取り消す前に、前記他の連続番組以降の連続番組の記録を行うか否かの情報を出力する出力手段
を備えることを特徴とする請求項１に記載の記録再生装置。
【請求項３】
前記出力手段による情報の出力に対応して、記録を行うか否かを示す信号を受け付ける信号受付手段を備え、
前記記録手段は、
前記信号受付手段により記録を行うことを示す信号を受け付けた場合に、該信号を受け付けた後の連続番組を前記予約手段により行った記録予約に基づき記録するよう構成してある
ことを特徴とする請求項２に記載の記録再生装置。
【請求項４】
前記取消手段は、
前記信号受付手段により記録を行わないことを示す信号を受け付け、かつ、前記判定手段により前記一の連続番組が再生されなかったと判定した場合、前記予約手段において行った前記信号を受け付けた後の連続番組の記録予約を取り消すよう構成してある
ことを特徴とする請求項３に記載の記録再生装置。
【請求項５】
前記第１期間に続く第２期間内に電源オンの指示に係る信号の受付有無を判定する受付判定手段と、
該受付判定手段が電源オンの指示に係る信号の受付がなかったと判定した場合は、前記第２期間経過後における前記取消手段による記録予約の取り消しを禁止する禁止手段とを備え、
前記記録手段は、
前記禁止手段による記録予約の取り消しの禁止があった場合に、前記第２期間経過後の連続番組を、前記予約手段により行った記録予約に基づき記録するよう構成してある
ことを特徴とする請求項１に記載の記録再生装置。
【請求項６】
番組情報を取得する取得手段と、該取得手段により取得した番組情報に基づいて一定間隔で放送される連続番組の記録予約を行う予約手段とを備えた記録再生装置に実行させるためのプログラムにおいて、
既記録の一の連続番組終了後の第１期間内に放送される他の連続番組を前記予約手段より行った記録予約に基づき記録する記録ステップと、
前記一の連続番組が前記第１期間内に再生されたか否かを判定する判定ステップと、
該判定ステップにより、前記一の連続番組が再生されなかったと判定した場合、前記予約手段において行った前記他の連続番組後の連続番組の記録予約を取り消す取消ステップと
を実行させることを特徴とするプログラム。
【請求項７】
前記取消ステップにより前記予約手段において行った前記他の連続番組後の連続番組の記録予約を取り消す前に、前記他の連続番組以降の連続番組の記録を行うか否かの情報を出力する出力ステップ
を実行させることを特徴とする請求項６に記載のプログラム。
【請求項８】
前記出力ステップによる情報の出力に対応して、記録を行うか否かを示す信号を受け付ける信号受付ステップを備え、
前記記録ステップは、
前記信号受付ステップにより記録を行うことを示す信号を受け付けた場合に、該信号を受け付けた後の連続番組を前記予約手段により行った記録予約に基づき記録する
ことを特徴とする請求項７に記載のプログラム。
【請求項９】
前記取り消しステップは、
前記信号受付ステップにより記録を行わないことを示す信号を受け付け、かつ、前記判定ステップにより前記一の連続番組が再生されなかったと判定した場合、前記予約手段において行った前記信号を受け付けた後の連続番組の記録予約を取り消す
ことを特徴とする請求項８に記載のプログラム。
【請求項１０】
前記第１期間に続く第２期間内に電源オンの指示に係る信号の受付有無を判定する受付判定ステップと、
該受付判定ステップが電源オンの指示に係る信号の受付がなかったと判定した場合は、前記第２期間経過後における前記取消ステップによる記録予約の取り消しを禁止する禁止ステップを備え、
前記記録ステップは、
前記禁止ステップによる記録予約の取り消しの禁止があった場合に、前記第２期間経過後の連続番組を、前記予約手段により行った記録予約に基づき記録する
ことを特徴とする請求項６に記載のプログラム。
【発明の詳細な説明】
【技術分野】
【０００１】
本発明は、受信した番組情報に基づいて番組を記録する記録再生装置及びプログラムに関する。
【背景技術】
【０００２】
近年、デジタル機器の普及と共にハードディスクレコーダ等の記録再生装置の普及も進んでいる。このような記録再生装置は、従来のＶＴＲよりも、多くの音声データを含む画像データを容易に記録・再生することが可能である。
【０００３】
また、上述した記録再生装置においては、放送局またはサーバ等から供給される電子番組情報（EPG: Electronic Program Guide）に基づいて自動記録処理を容易に行うことができる。例えば、特許文献１では、放送番組を記録し、その記録された番組に所定の操作がある場合に、操作対象番組の放送日時から所定期間後に放送される番組を記録予約する記録装置が開示されている。
【特許文献１】特開２００４−３３６６９１号公報
【発明の開示】
【発明が解決しようとする課題】
【０００４】
しかしながら、特許文献１に記載の録画装置では、自動記録された番組の再生がなかった場合、ユーザが次回以降の記録予約まで気が回らず、次回以降の番組を録り逃す恐れがあった。さらに、例えば１ヶ月以上の長い期間の留守の間に、１週間隔で放送される新しい連続番組の放送が始まった場合は、自動録画された初回の放送が次回の放送時刻まで、又は次回以降まで再生されないことが生じ、次回以降の録画は出来なくなるといった問題もあった。
【０００５】
本発明は、斯かる事情に鑑みてなされたものであり、その目的は、既記録の一の連続番組終了後の第１期間内に放送の他の連続番組を確実に記録すると共に、その後に放送の連続番組の記録を予約しておき、前記連続番組に興味がなく録画された一の連続番組を視聴しない等のユーザの意思に応じてのみ前記他の連続番組後の連続番組の記録予約を取り消すことにより、一の連続番組の次回以降の放送の録り逃しを防止する記録再生装置及びプログラムを提供することにある。
【課題を解決するための手段】
【０００６】
本発明に係る記録再生装置は、番組情報を取得する取得手段と、該取得手段により取得した番組情報に基づいて一定間隔で放送される連続番組の記録予約を行う予約手段とを備えた記録再生装置において、既記録の一の連続番組終了後の第１期間内に放送される他の連続番組を前記予約手段により行った記録予約に基づき記録する記録手段と、前記一の連続番組が前記第１期間内に再生されたか否かを判定する判定手段と、該判定手段により、前記一の連続番組が再生されなかったと判定した場合、前記予約手段において行った前記他の連続番組後の連続番組の記録予約を取り消す取消手段とを備えることを特徴とする。
【０００７】
本発明に係る記録再生装置は、前記取消手段により前記予約手段において行った前記他の連続番組後の連続番組の記録予約を取り消す前に、前記他の連続番組以降の連続番組の記録を行うか否かの情報を出力する出力手段を備えることを特徴とする。
【０００８】
本発明に係る記録再生装置は、前記出力手段による情報の出力に対応して、記録を行うか否かを示す信号を受け付ける信号受付手段を備え、前記記録手段は、前記信号受付手段により記録を行うことを示す信号を受け付けた場合に、該信号を受け付けた後の連続番組を前記予約手段により行った記録予約に基づき記録するよう構成してあることを特徴とする。
【０００９】
本発明に係る記録再生装置は、前記取消手段は、前記信号受付手段により記録を行わないことを示す信号を受け付け、かつ、前記判定手段により前記一の連続番組が再生されなかったと判定した場合、前記予約手段において行った前記信号を受け付けた後の連続番組の記録予約を取り消すよう構成してあることを特徴とする。
【００１０】
本発明に係る記録再生装置は、前記第１期間に続く第２期間内に電源オンの指示に係る信号の受付有無を判定する受付判定手段と、該受付判定手段が電源オンの指示に係る信号の受付がなかったと判定した場合は、前記第２期間経過後における前記取消手段による記録予約の取り消しを禁止する禁止手段とを備え、前記記録手段は、前記禁止手段による記録予約の取り消しの禁止があった場合に、前記第２期間経過後の連続番組を、前記予約手段により行った記録予約に基づき記録するよう構成してあることを特徴とする。
【００１１】
本発明に係るプログラムは、番組情報を取得する取得手段と、該取得手段により取得した番組情報に基づいて一定間隔で放送される連続番組の記録予約を行う予約手段とを備えた記録再生装置に実行させるためのプログラムにおいて、既記録の一の連続番組終了後の第１期間内に放送される他の連続番組を前記予約手段より行った記録予約に基づき記録する記録ステップと、前記一の連続番組が前記第１期間内に再生されたか否かを判定する判定ステップと、該判定ステップにより、前記一の連続番組が再生されなかったと判定した場合、前記予約手段において行った前記他の連続番組後の連続番組の記録予約を取り消す取消ステップとを実行させることを特徴とする。
【００１２】
本発明に係るプログラムは、前記取消ステップにより前記予約手段において行った前記他の連続番組後の連続番組の記録予約を取り消す前に、前記他の連続番組以降の連続番組の記録を行うか否かの情報を出力する出力ステップを実行させることを特徴とする。
【００１３】
本発明に係るプログラムは、前記出力ステップによる情報の出力に対応して、記録を行うか否かを示す信号を受け付ける信号受付ステップを備え、前記記録ステップは、前記信号受付ステップにより記録を行うことを示す信号を受け付けた場合に、該信号を受け付けた後の連続番組を前記予約手段により行った記録予約に基づき記録することを特徴とする。
【００１４】
本発明に係るプログラムは、前記取り消しステップは、前記信号受付ステップにより記録を行わないことを示す信号を受け付け、かつ、前記判定ステップにより前記一の連続番組が再生されなかったと判定した場合、前記予約手段において行った前記信号を受け付けた後の連続番組の記録予約を取り消すことを特徴とする。
【００１５】
本発明に係るプログラムは、前記第１期間に続く第２期間内に電源オンの指示に係る信号の受付有無を判定する受付判定ステップと、該受付判定ステップが電源オンの指示に係る信号の受付がなかったと判定した場合は、前記第２期間経過後における前記取消ステップによる記録予約の取り消しを禁止する禁止ステップを備え、前記記録ステップは、前記禁止ステップによる記録予約の取り消しの禁止があった場合に、前記第２期間経過後の連続番組を、前記予約手段により行った記録予約に基づき記録することを特徴とする。
【００１６】
本発明にあっては、予約手段は、番組情報を取得する取得手段により取得した番組情報に基づいて一定間隔で放送される連続番組の記録予約を行う。記録手段は、この記録予約に基づき、既記録の一の連続番組終了後の第１期間内に放送される他の連続番組を記録する。判定手段は、一の連続番組が第１期間内に再生されたか否かを判定し、取り消し手段は再生されなかった場合、予約手段において行った他の連続番組後の連続番組の記録予約を取り消す。
【００１７】
本発明にあっては、出力手段は、取消手段により他の連続番組後の連続番組の記録予約を取り消す前に、他の連続番組以降の連続番組の記録を行うか否かの情報を出力する。
【００１８】
本発明にあっては、信号受け付け手段は、出力手段による情報の出力に対応して、記録を行うか否かを示す信号を受け付ける。そして、記録手段は、記録を行うことを示す信号を受け付けた場合、当該信号を受け付けた後の連続番組を記録予約に基づき記録する。
【００１９】
本発明にあっては、取消手段は、記録を行わないことを示す信号を受け付け、かつ、判定手段により一の連続番組が再生されなかったと判定した場合、予約手段において行った信号を受け付けた後の連続番組の記録予約を取り消す。
【００２０】
本発明にあっては、受け付け判定手段は、第１期間に続く第２期間内に電源オンの指示に係る信号の受付有無を判定する。そして電源オンの指示に係る信号の受付がなかったと判定した場合、禁止手段は第２期間経過後における記録予約の取り消しを禁止する。記録手段は、記録予約の取り消しの禁止があった場合、第２期間経過後の連続番組を、記録予約に基づき記録する。
【発明の効果】
【００２１】
本発明によれば、既記録の一の連続番組終了後の第１期間内に放送される他の連続番組の記録を確実に行う上、他の連続番組後の連続番組の記録予約を行うことから、ユーザが視聴するか否かを決めかねている連続番組の録り逃しを防止することが可能となる。また、ユーザが連続番組に興味がなく、第１期間内に一の連続番組を再生しなかった場合、他の連続番組後の連続番組の記録予約を取り消すので、記録媒体の容量が無駄に使われることを防止できる。
【００２２】
本発明によれば、第１期間内に一の連続番組の再生がなかった場合、記録予約の取消を行う前に、他の連続番組以降の連続番組の記録を行うか否かの情報をユーザに出力するので、他の連続番組以降の記録の実施においてユーザの意思を反映することが出来る。
【００２３】
本発明によれば、ユーザから記録を行うことを示す信号を受け付けた場合、その後の連続番組を記録予約に基づき記録するので、他の連続番組以降の記録の実施においてユーザの意思を十分に反映することが出来る上、記録媒体の容量が無駄に使われることを防止できる。
【００２４】
本発明によれば、ユーザから記録を行わないことを示す信号を受け付け、かつ、一の連続番組の再生がなかった場合に、その後の連続番組の記録予約を取り消すので、ユーザの意思を十分に反映することが出来る上、記録媒体の容量が無駄に使われることを防止できる。
【００２５】
本発明によれば、第２期間内に電源オンの指示に係る信号の受付がなかった場合、第２期間経過後における記録予約の取り消しを禁止し、記録予約に従い記録するので、第１期間に続く第２期間においてユーザが不在である場合等においても、連続番組の録り逃しを未然に防止することが可能となる等、本発明は優れた効果を奏し得る。
【発明を実施するための最良の形態】
【００２６】
実施の形態１
以下、本発明の実施の形態について図面を参照しつつ詳細に説明する。記録再生装置は例えば、ハードディスクを有するハードディスクレコーダ、光ディスクを用いた記録装置、パーソナルコンピュータ、並びに、地上デジタル放送を受信可能なカーナビゲーション装置、携帯電話機、及び、ＰＤＡ（Personal Digital Assistant）等である。本実施の形態においては、記録再生装置をハードディスクレコーダ（以下、レコーダという）であるものとして説明する。
【００２７】
図１は本発明の実施の形態１に係るレコーダの要部構成を示すブロック図である。実施の形態１に係るレコーダは、地上波アナログ放送、地上波デジタル放送、ＢＳアナログ放送、ＢＳデジタル放送、または、ＣＳデジタル放送等に係る放送データを、アンテナを介して受信するＢＳ／ＣＳチューナ部２及び地上波チューナ部３並びにインターネット等の通信網を経由して電子番組情報提供サーバに接続可能な通信部１を備えている。実施の形態１においては、通信部１を介して電子番組情報を受信する場合を例として説明するが、地上波チューナ部３により電子番組情報を受信するようにしても良い。
【００２８】
実施の形態１に係るレコーダは、ＢＳ／ＣＳチューナ部２、地上波チューナ部３及び通信部１からのデータを選択的にエンコーダ部５に入力するセレクタ部４と、エンコーダ部５からのデータを編集等処理するデータ編集部６と、データ編集部６に接続された記憶部７及び光ディスクドライブ部８とを備えている。記憶部７はハードディスク７１を有している。更に、記憶部７及び光ディスクドライブ部８からデータを受け付けてデコードするＭＰＥＧデコーダ部９と、ＭＰＥＧデコーダ部９からのデータを増幅、復調する画像音声処理部１４と、液晶画面等の外部表示部と接続するためのインターフェイスであるＩ／Ｆ１５とを備えている。
【００２９】
なお、実施の形態１に係るレコーダは、筐体前面に操作ボタン等を備えており、ユーザの操作により指示を受け付ける受付部１１と、ユーザの遠隔操作による指示を受け付けるリモコンＲと、レコーダの動作状態に関する情報等を示す液晶表示パネルからなる表示部１２と、計時手段（図示せず）を備え、番組の記録（又は録画）予約を行う録画予約部１３と、後述する第１期間及び第２期間の経過を制御部１０に通知する計時部１６とを備えている。なお、リモコンＲはＲＦ（Radio Frequency）リモコンであっても良い。また、制御部１０はバスを介して各部と接続され、ＲＡＭ２０をワーキングエリアとしてＲＯＭ１９に格納された処理プログラムを実行することにより、レコーダの各構成部の制御を行う。
【００３０】
ＢＳ／ＣＳチューナ部２、地上波チューナ部３及び通信部１が受信したデータ（アナログ信号）は、制御部１０の指示によってセレクタ部４にて選択され、選択されたデータがエンコーダ部５に出力される。
【００３１】
エンコーダ部５は、セレクタ部４から入力されるアナログ画像信号及びアナログ音声信号をデジタル化するアナログ／デジタルコンバータと、画像エンコーダ及び音声エンコーダとを有している。エンコーダ部５から出力されるデータはＭＰＥＧ等の圧縮フォーマットに変換され、制御部１０に入力される。
【００３２】
制御部１０に入力されたデータ及び制御部１０にて作成された管理データはデータ編集部６を介して記憶部７又は光ディスクドライブ部８に送られ、ハードディスク７１又は光ディスク（図示せず）に記録（又は録画）される。番組のデータは画像データ及び音声データを含み、各番組データは、ユーザが夫々を識別できるように放送日時及び放送チャンネル等の番組情報と共にファイル単位でハードディスク７１に記憶されている。また、ハードディスク７１には、通信部１を介して取得した電子番組情報が記憶される。
【００３３】
データ編集部６は、ハードディスク又は光ディスクに記録されている画像データ及び音声データの一部削除、挿入等の編集処理を行う。
【００３４】
ＭＰＥＧデコーダ部９はデコードされた画像（主画像）に、例えばユーザの選択に係る指示を受け付けるためのダイアログボックス（副画像）を適宜合成し、主画像にメニュー、ハイライトボタン、字幕等の副画像を重ねて出力するビデオプロセッサを備えている。ＭＰＥＧデコーダ部９からのデータは画像音声処理部１４に出力される。
【００３５】
画像音声処理部１４は、画像データの輝度信号を、外部表示部を駆動するのに必要な大きさに増幅し、色副搬送波を発生し、これを用いて搬送色信号から色差信号を復調する等の処理、並びに音声データを増幅する処理を行う。画像音声処理部１４から出力されたデータは、Ｉ／Ｆ１５を介して外部装置、例えば液晶画面に送られ、表示される。
【００３６】
録画予約部１３は、リモコンＲ又は受付部１１を介して受け付けたユーザの指示により、又は所定設定によって自動的に番組の録画予約を行う。録画予約部１３は計時手段及び記憶手段を備えており、予約時刻、対象番組のタイトル等が記憶される。
【００３７】
ＲＯＭ１９には実施の形態１に係るハードディスクレコーダの制御のための処理プログラム、ユーザに対して通知を行うためのダイアログボックスに係るデータ、後述する第１期間及び第２期間の設定に係るデータ等が予め格納されており、ＲＡＭ２０には処理プログラムの実行の際に発生するデータが一時的に記憶される。
【００３８】
以下、本発明の実施の形態１に係るレコーダの作用の概要について説明する。図２は実施の形態１に係るレコーダの作用の概要を示す説明図である。説明の便宜上、実施の形態１に係るレコーダは、電子番組情報に基づき、新番組がある場合は、該新番組の初回を自動的に録画するいわゆる新番組自動録画機能を備えているものとする。
【００３９】
本発明の実施の形態１に係るレコーダは、新番組であって、一定の間隔（例えば、一週間）をおいて周期的に放送される連続番組を検出した場合、該新番組の初回（一の連続番組）を自動録画すると共に、次回（他の連続番組）以降の録画予約を行う。そして新番組の初回放送日から第３回放送直前までの間に、第１期間及び第２期間を設け、次回以降の録画を行うか否かに対するユーザの許可（指示）を待つ。例えば、新番組の初回放送の直後から第２回の放送終了後所定期間までの第１期間には、録画された新番組の初回の再生があるか否かを監視し、再生の際に次回以降の録画を行うか否かを問う情報をユーザに通知する。第１期間の経過までに録画された新番組の初回の再生がなかった場合は、より積極的に次回以降の録画を行うか否かを問う情報を通知する。つまり、第１期間の経過直後から第３回の放送時刻直前までの第２期間内には、実施の形態１に係るレコーダのオン又はオフ時に、次回以降の録画を行うか否かを問う情報を通知する。
【００４０】
また、新番組の初回放送日から第３回の放送時刻直前までにかけて、第１期間及び第２期間を設けており、次回以降の録画を行うか否かに対するユーザの指示を受け付ける前、第２回の放送時刻が到来した場合は、第２回の録画をしておく。このような作用により、例えば、第２回の放送時刻経過後に次回以降の録画を行うか否かに対するユーザの指示を受け付けた場合でも、次回以降の放送の録り逃しを防止できると共に、自動録画機能の濫用によるハードディスク、光ディスク等の記録媒体の容量が無駄に使われることを防止できる。また、次回以降の録画を行うか否かの決定において、初回放送終了直後から第３回の放送時刻直前までの十分な猶予期間をユーザに与えることが出来る。
【００４１】
図３乃至図５は実施の形態１に係るレコーダの制御部１０の処理順序を示すフローチャートである。説明の便宜上、実施の形態１に係るレコーダは、上述したように新番組自動録画機能を備えているとし、該機能に係る処理を例として説明する。また以下では、一の連続番組を初回の連続番組、他の連続番組を１週間後に放送される２回目の連続番組であるものとして説明する。この場合、３回目以降の連続番組は、他の連続番組より後に放送される連続番組となる。なお、一の連続番組を初回の連続番組、他の連続番組をこれに続いて放送される２回目及び３回目の連続番組としても良い。この場合、４回目以降の連続番組は、他の連続番組より後に放送される連続番組となる。
【００４２】
通信部１（取得手段）を介して取得した電子番組情報は記憶部７のハードディスク７１に記憶され、制御部１０はハードディスク７１に記憶している電子番組情報に基づき、新番組があるか否かを判定する（Ｓ１０１）。かかる判定は、例えば、制御部１０がハードディスク７１の電子番組情報に基づき、「新」、「新番組」、「ＮＥＷ」のキーワードを含む番組タイトルを検索することにより行われる。その他電子番組情報に、新番組であることを示す情報が付加されている場合は、当該情報を用いればよい。制御部１０は新番組がないと判定した場合（Ｓ１０１：ＮＯ）、新番組があると判定するまで判定を続ける。一方、制御部１０は新番組があると判定した場合（Ｓ１０１：ＹＥＳ）、新番組の初回放送を記憶部７のハードディスク７１に録画する（Ｓ１０２）。つまり、第１回の画像データ及び音声データがハードディスク７１に記憶される。なお、本実施の形態においては制御部１０が通信部１を介して取得した電子番組情報に基づき、新番組の初回を認識し、これを録画する形態としたが、これに限るものではない。つまり、初回の番組をユーザの意思に基づいて録画した場合も以下の処理を実行するようにしても良い。具体的には、ユーザが受付部１１から当該新番組の録画指示を入力した場合、制御部１０はこの入力に従いハードディスク７１に当該番組を録画する。そして、制御部１０はこの録画した番組に係る電子番組情報を参照し、番組タイトルに「新」、「新番組」または「ＮＥＷ」等のキーワードが含まれており、初回の番組であると認識した場合にも、以下の処理を実行するようにしても良い。
【００４３】
次いで制御部１０は、ハードディスク７１の電子番組情報に基づき、８日以内にＳ１０１における新番組のタイトルと同一タイトルの番組の放送があるか否かを判定する（Ｓ１０３）。かかる判定は、番組タイトルのみをキーワードとする検索により行ってもよく、番組タイトル以外に番組のカテゴリ、出演者などもキーワードとした検索がより有効である。
【００４４】
制御部１０は、８日以内にＳ１０１における新番組のタイトルと同一タイトルの番組の放送がないと判定した場合（Ｓ１０３：ＮＯ）、Ｓ１０１に戻り、新番組があるか否かの判定を再び行う。つまり、８日以内にＳ１０１における新番組のタイトルと同一タイトルの番組の放送がない場合は、録画された番組はドラマ等のいわゆる連続番組でないので、次回以降の録画を行う必要性がないからである。一方、制御部１０は、８日以内にＳ１０１における新番組のタイトルと同一タイトルの番組（連続番組）の放送があると判定した場合（Ｓ１０３：ＹＥＳ）、録画予約部１３にＳ１０２で録画した連続番組の次回以降の録画予約を指示する（Ｓ１０４）。録画予約部１３には次回以降の録画に係る番組の放送時刻、タイトル等がハードディスク７１の電子番組情報に基づき、記憶される。
【００４５】
その後、制御部１０は、録画された初回放送の再生指示があったか否かを判定する（Ｓ１０５）。かかる判定は、例えば、受付部１１又はリモコンＲを介して録画された初回放送の再生に係る指示の信号を受け付けているか監視することにより行われる。制御部１０は録画された初回放送の再生指示があったと判定した場合（Ｓ１０５：ＹＥＳ）、次回以降の録画指示があったか否かを判定する（Ｓ１０６）。具体的には、制御部１０は、録画された初回放送の再生が開始又は終了する際、又は初回放送の再生途中に一時停止又は停止の操作が行われた場合、次回以降の録画を行うか否かを問うダイアログボックスを、Ｉ／Ｆ１５を介して、外部表示部に表示する。図６は次回以降の録画を行うか否かを問うダイアログボックスの一例を示す例示図である。図示したダイアログボックスには「次回以降の録画を実行してもよろしいでしょうか。」とのテキストと、「ＹＥＳ」及び「ＮＯ」のコマンドボタンとが夫々表示されている。ユーザは受付部１１又はリモコンＲを操作することにより、「ＹＥＳ」又は「ＮＯ」のコマンドボタンを操作することが可能である。
【００４６】
ユーザが受付部１１又はリモコンＲを操作して「ＹＥＳ」のコマンドボタンを操作することにより、次回以降の録画を行うことを示す信号を受け付けた場合、制御部１０は次回以降の録画指示があったと判定し（Ｓ１０６：ＹＥＳ）、第２回が録画されているか否かを判定する（Ｓ１１０）。かかる判定は、ハードディスク７１に第２回に係る画像、音声データが記憶されているかを調べることによって行われる。制御部１０は、第２回が録画されていると判定した場合（Ｓ１１０：ＹＥＳ）、録画予約部１３に記憶したデータに基づき、第３回以降の録画を実行する（Ｓ１１１）。一方、制御部１０は、第２回が録画されていないと判定した場合（Ｓ１１０：ＮＯ）、録画予約部１３に記憶したデータに基づき、次回以降の録画を実行する（Ｓ１１２）。
【００４７】
ところが、ユーザが受付部１１又はリモコンＲを操作して「ＮＯ」のコマンドボタンを操作することにより、次回以降の録画を行わないことを示す信号を受け付けた場合、制御部１０は次回以降の録画指示がなかったと判定し（Ｓ１０６：ＮＯ）、第２回が録画されているか否かを判定する（Ｓ１０７）。かかる判定は、ハードディスク７１に第２回に係る画像、音声データが記憶されているかを調べることによって行われる。制御部１０は、第２回が録画されていると判定した場合（Ｓ１０７：ＹＥＳ）、録画予約部１３に記憶されている、第３回以降の録画予約に係るデータを取り消す（Ｓ１０８）。一方、制御部１０は、第２回が録画されていないと判定した場合（１０７：ＮＯ）、次回以降の録画予約を取り消す（Ｓ１０９）。
【００４８】
一方、制御部１０は録画された初回放送の再生指示がなかったと判定した場合（Ｓ１０５：ＮＯ）、第２回の放送開始時刻であるか否かを判定する（Ｓ１１３）。制御部１０が第２回の放送開始時刻でないと判定した場合（Ｓ１１３：ＮＯ）、Ｓ１１５の処理へ移り、第１期間が経過したか否かを判定する。一方、制御部１０が第２回の放送開始時刻であると判定した場合（Ｓ１１３：ＹＥＳ）、ハードディスク７１の電子番組情報に基づき、第２回の録画を実行する（Ｓ１１４）。つまり、第２回の画像データ及び音声データがハードディスク７１に記憶される。
【００４９】
Ｓ１１３にて制御部１０が第２回の放送開始時刻でないと判定した場合、又はＳ１１４にて第２回の録画後、制御部１０は第１期間が経過したか否かを判定する（Ｓ１１５）。当該判定は、制御部１０が、第１期間が経過した旨の通知を計時部１６から取得することにより行われる。第１期間は、例えば、初回放送の終了直後から第２回放送終了後２４時間までの期間である。制御部１０は第１期間が経過していないと判定した場合（Ｓ１１５：ＮＯ）、Ｓ１０５に戻って、録画された初回放送の再生があったか否かを再び判定する。一方、制御部１０は第１期間が経過したと判定した場合（Ｓ１１５：ＹＥＳ）、第１期間内に初回放送の再生があったか否かを判定する（Ｓ１１６）。制御部１０は第１期間内に初回放送の再生があったと判定した場合（Ｓ１１６：ＹＥＳ）、処理を終了する。一方、制御部１０は第１期間内に初回放送の再生がなかったと判定した場合（Ｓ１１６：ＮＯ）、次回以降の録画を行うか否かを問う情報の通知（出力）を行う（Ｓ１１７）。具体的には、制御部１０は、計時部１６の通知を参照し第１期間が経過し、また、レコーダの電源のオン又はオフの指示を受付部１１から受け付けた場合に、次回以降の録画を行うか否かを問うダイアログボックスを、Ｉ／Ｆ１５を介して外部表示部に表示する。
【００５０】
図７は次回以降の録画を行うか否かを問うダイアログボックスの一例を示す例示図である。図示したダイアログボックスには「以下の番組が自動録画されていますが、未だご覧になっておりません。次回以降の録画を実施しますか。」とのテキストと、「する」、「しない」及び「留保」のコマンドボタンとが夫々表示されている。制御部１０は「する」又は「しない」のコマンドボタンを介して次回以降の録画を行うか否かを示す信号を受け付ける。つまり、ユーザが受付部１１又はリモコンＲを操作し、「する」又は「しない」のコマンドボタンを操作することにより、次回以降の録画を行うか否かを示す信号を受け付けることが出来る。一方、ユーザが受付部１１又はリモコンＲを操作し、「留保」のコマンドボタンを操作することにより、次回以降の録画を行うか否かの決定は、次回の通知時まで留保される。
【００５１】
次いで、制御部１０は、次回以降の録画指示があったか否かを判定する（Ｓ１１８）。当該判定は、ユーザによって「する」のコマンドボタンが操作されるのかを監視することにより行われる。
【００５２】
ユーザが受付部１１又はリモコンＲを操作して「する」のコマンドボタンを操作することにより、次回以降の録画を行うことを示す信号を受け付けた場合、制御部１０は次回以降の録画指示があったと判定し（Ｓ１１８：ＹＥＳ）、Ｓ１１１の処理に移る。つまり、次回以降の録画を行うことを示す信号を受け付けた後に放送される第３回以降の録画を行う（Ｓ１１１）。ところが、ユーザによって「する」のコマンドボタンの操作がされず、次回以降の録画を行うことを示す信号を受け付けていない場合、制御部１０が次回以降の録画指示がなかったと判定し（Ｓ１１８：ＮＯ）、留保の指示があったか否かを判定する（Ｓ１１９）。当該判定はユーザが受付部１１又はリモコンＲを操作することにより、「留保」のコマンドボタンが操作されるのかを監視することにより行われる。
【００５３】
一方、ユーザが受付部１１又はリモコンＲを操作して「留保」のコマンドボタンを操作することにより、次回以降の録画を行うか否かの決定を次回の通知時まで留保することを示す信号を受け付けた場合、制御部１０は留保の指示があったと判定し（Ｓ１１９：ＹＥＳ）、第２期間が経過したか否かを判定する（Ｓ１２０）。当該判定は、制御部１０が、第２期間が経過した旨の通知を計時部１６から取得することにより行われる。第２期間は、例えば、第１期間経過の直後から次回の放送直前までの期間である。制御部１０は第２期間が経過していないと判定した場合（Ｓ１２０：ＮＯ）、Ｓ１０５に戻って、録画された初回放送の再生指示があったか否かを再び判定する。一方、制御部１０は第２期間が経過したと判定した場合（Ｓ１２０：ＹＥＳ）、録画予約部１３に記憶している第３回以降の録画予約に係るデータを取り消す（Ｓ１２１）。つまり、記憶部７のハードディスク７１には第２回が最後に記憶されているので、制御部１０は第２回の次回以降、すなわち第３回以降の録画予約を取り消すように録画予約部１３に指示する。
【００５４】
また、ユーザによる「留保」のコマンドボタンの操作がされず、次回以降の録画を行うか否かの決定を次回の通知時まで留保することを示す信号を受け付けていない場合、制御部１０は留保の指示がなかったと判定する（Ｓ１１９：ＮＯ）。この場合、ユーザによる「する」のコマンドボタンの操作及び「留保」のコマンドボタンの操作もないことから、「しない」のコマンドボタンが操作されたと判定し、つまり、次回以降の録画を行わないことを示す信号を受け付けた場合は、該信号を受け付けた後に放送される、録画予約部１３に記憶している第２回より後の第３回以降の録画予約に係るデータを取り消す（Ｓ１２１）。
【００５５】
実施の形態２
以下、本発明の実施の形態２に係るレコーダの作用の概要について説明する。図８は実施の形態２に係るレコーダの作用の概要を示す説明図である。説明の便宜上、実施の形態２に係るレコーダは、新番組がある場合は、当該新番組の初回を自動的に録画する新番組自動録画機能を備えているものとする。
【００５６】
本発明の実施の形態２に係るレコーダは、新番組を検出し、該新番組が連続番組である場合、該新番組の初回を自動録画すると共に、次回（第２回）以降の録画予約を行う。そして新番組の初回放送日から第３回放送日後所定期間までの間に、第１期間及び第２期間を設け、次回以降の録画の実行に対するユーザの許可（指示）を待つ。例えば、新番組の初回放送の直後から第２回の放送終了後所定期間までの第１期間には、録画された新番組の初回の再生があるか否かを監視し、再生の際に次回以降の録画を行うか否かを問う情報をユーザに通知する。第１期間の経過までに録画された新番組の初回の再生がなかった場合は、第１期間の経過直後から第３回の放送終了後所定期間までの第２期間内に、実施の形態２に係るレコーダのオン又はオフの際、次回以降の録画を行うか否かを問う情報を通知する。
【００５７】
また、新番組の初回放送直後から第３回の放送終了後所定期間までにかけて、第１期間及び第２期間を設けており、次回以降の録画を行うか否かに対するユーザの指示を受け付ける前、第２回又は第３回の放送時刻が到来した場合は、第２回又は第３回の録画をして確保しておく。このような作用により、例えば、次回以降の録画を行うか否かに対するユーザの指示を、第２回又は第３回の放送時刻経過後に受け付けた場合でも、次回以降の放送の録り逃しをより確実に防止できると共に、次回以降の録画を行うか否かの決定において、初回放送終了直後から第３回の放送終了後所定期間までの十分な猶予期間をユーザに与えることが出来る。
【００５８】
図９乃至図１１は実施の形態２に係るレコーダの制御部１０の処理順序を示すフローチャートである。説明の便宜上、実施の形態２に係るレコーダは、上述したように新番組自動録画機能を備えているとし、当該機能に係る処理を例として説明する。
【００５９】
取得した電子番組情報は記憶部７のハードディスク７１に記憶され、制御部１０はハードディスク７１に記憶している電子番組情報に基づき、新番組があるか否かを判定する（Ｓ２０１）。制御部１０は新番組がないと判定した場合（Ｓ２０１：ＮＯ）、新番組があると判定するまで判定を続ける。一方、制御部１０は新番組があると判定した場合（Ｓ２０１：ＹＥＳ）、新番組の初回放送を録画する（Ｓ２０２）。
【００６０】
次いで制御部１０は、８日以内にＳ２０１における新番組のタイトルと同一タイトルの番組の放送があるか否かを判定する（Ｓ２０３）。制御部１０は、８日以内にＳ２０１における新番組のタイトルと同一タイトルの番組の放送がないと判定した場合（Ｓ２０３：ＮＯ）、Ｓ２０１に戻り、新番組があるか否かの判定を再び行う。一方、制御部１０は、８日以内にＳ２０１における新番組のタイトルと同一タイトルの番組（連続番組）の放送があると判定した場合（Ｓ２０３：ＹＥＳ）、録画予約部１３にＳ２０２で録画した連続番組の次回以降の録画予約を指示する（Ｓ２０４）。録画予約部１３には次回以降の録画に係る番組の放送時刻、タイトル等がハードディスク７１の電子番組情報に基づき、記憶される。
【００６１】
その後、制御部１０は、録画された初回放送の再生指示があったか否かを判定する（Ｓ２０５）。制御部１０は録画された初回放送の再生指示があったと判定した場合（Ｓ２０５：ＹＥＳ）、次回以降の録画指示があったか否かを判定する（Ｓ２０６）。詳しくは、録画された初回放送の再生が開始又は終了する際、又は初回放送の再生途中に一時停止又は停止の操作が行われた場合、次回以降の録画を行うか否かを問う、図６に例示したようなダイアログボックスを、Ｉ／Ｆ１６を介して、外部表示部に表示することにより行う。
【００６２】
ユーザが受付部１１又はリモコンＲを操作して「ＹＥＳ」のコマンドボタンを操作することにより、次回以降の録画を行うことを示す信号を受け付けた場合、制御部１０は次回以降の録画指示があったと判定し（Ｓ２０６：ＹＥＳ）、第２回が録画されているか否かを判定する（Ｓ２１２）。かかる判定は、ハードディスク７１に第２回に係る画像、音声データが記憶されているかを調べることによって行われる。制御部１０は、第２回が録画されていると判定した場合（Ｓ２１２：ＹＥＳ）、再び第３回が録画されているか否かを判定する（Ｓ２１３）。かかる判定は、ハードディスク７１に第３回に係る画像、音声データが記憶されているかを調べることによって行われる。制御部１０は、第３回が録画されていると判定した場合（Ｓ２１３：ＹＥＳ）、録画予約部１３に記憶したデータに基づき、第２回及び３回を除く第４回以降の録画を実行する（Ｓ２１６）。一方、制御部１０は、第３回が録画されていないと判定した場合（Ｓ２１３：ＮＯ）、録画予約部１３に記憶したデータに基づき、第２回を除く第３回以降の録画を実行する（Ｓ２１５）。
【００６３】
一方、制御部１０は、第２回が録画されていないと判定した場合（Ｓ２１２：ＮＯ）、録画予約部１３に記憶したデータに基づき、次回以降の録画を実行する（Ｓ２１４）。
【００６４】
ところが、ユーザが受付部１１又はリモコンＲを操作して「ＮＯ」のコマンドボタンを操作することにより、次回以降の録画を行わないことを示す信号を受け付けた場合、制御部１０は次回以降の録画指示がなかったと判定し（Ｓ２０６：ＮＯ）、第２回が録画されているか否かを判定する（Ｓ２０７）。かかる判定は、ハードディスク７１に第２回に係る画像、音声データが記憶されているかを調べることによって行われる。制御部１０は、第２回が録画されていると判定した場合（Ｓ２０７：ＹＥＳ）、再び第３回が録画されているか否かを判定する（Ｓ２０８）。かかる判定は、ハードディスク７１に第３回に係る画像、音声データが記憶されているかを調べることによって行われる。制御部１０は、第３回が録画されていると判定した場合（Ｓ２０８：ＹＥＳ）、録画予約部１３に記憶している第４回以降の録画予約を取り消す（Ｓ２１０）。一方、制御部１０は、第３回が録画されていないと判定した場合（Ｓ２０８：ＮＯ）、録画予約部１３に記憶している第３回以降の録画予約を取り消す（Ｓ２１１）。
【００６５】
一方、制御部１０は、第２回が録画されていないと判定した場合（Ｓ２０７：ＮＯ）、録画予約部１３に記憶している次回以降の録画予約を取り消す（Ｓ２０９）。
【００６６】
また、制御部１０は録画された初回放送の再生指示がなかったと判定した場合（Ｓ２０５：ＮＯ）、第２回の放送開始時刻であるか否かを判定する（Ｓ２１７）。制御部１０が第２回の放送開始時刻でないと判定した場合（Ｓ２１７：ＮＯ）、Ｓ２１９の処理へ移り、第１期間が経過したか否かを判定する。一方、制御部１０が第２回の放送開始時刻であると判定した場合（Ｓ２１７：ＹＥＳ）、ハードディスク７１の電子番組情報に基づき、第２回の録画を実行する（Ｓ２１８）。つまり、第２回の画像データ及び音声データがハードディスク７１に記憶される。
【００６７】
Ｓ２１７にて制御部１０が第２回の放送開始時刻でないと判定した場合、又はＳ２１８にて第２回の録画後、制御部１０は第１期間が経過したか否かを判定する（Ｓ２１９）。第１期間は、例えば、初回放送の終了直後から第２回放送終了後２４時間までの期間である。制御部１０は第１期間が経過していないと判定した場合（Ｓ２１９：ＮＯ）、Ｓ２０５に戻って、録画された初回放送の再生指示があったか否かを再び判定する。一方、制御部１０は第１期間が経過したと判定した場合（Ｓ２１９：ＹＥＳ）、第１期間内に初回放送の再生があったか否かを判定する（Ｓ２２０）。制御部１０は第１期間内に初回放送の再生があったと判定した場合（Ｓ２２０：ＹＥＳ）、処理を終了する。一方、制御部１０は第１期間内に初回放送の再生がなかったと判定した場合（Ｓ２２０：ＮＯ）次回以降の録画を行うか否かを問う情報の通知を行う（Ｓ２２１）。詳しくは、第１期間が経過した後、本発明に係るレコーダの電源がオン又はオフする時に、次回以降の録画を行うか否かを問う、図７に例示したようなダイアログボックスを、Ｉ／Ｆ１６を介して、外部表示部に表示することにより行う。
【００６８】
次いで、制御部１０は、次回以降の録画指示があったか否かを判定する（Ｓ２２２）。ユーザが受付部１１又はリモコンＲを操作して「する」のコマンドボタンを操作することにより、次回以降の録画を行うことを示す信号を受け付けた場合、制御部１０は次回以降の録画指示があったと判定し（Ｓ２２２：ＹＥＳ）、Ｓ２１３の処理に移る。Ｓ２１３以降の処理については上述しており、詳細な説明を省略する。
【００６９】
ところが、ユーザによって「する」のコマンドボタンの操作がされず、次回以降の録画を行うことを示す信号を受付けていない場合、制御部１０が次回以降の録画指示がなかったと判定し（Ｓ２２２：ＮＯ）、留保の指示があったか否かを判定する（Ｓ２２３）。ユーザが受付部１１又はリモコンＲを操作して「留保」のコマンドボタンを操作することにより、次回以降の録画を行うか否かの決定を次回の通知時まで留保することを示す信号を受け付けた場合、制御部１０は留保の指示があったと判定し（Ｓ２２３：ＹＥＳ）、第３回の放送開始時刻であるか否かを判定する（Ｓ２２４）。制御部１０が第３回の放送開始時刻でないと判定した場合（Ｓ２２４：ＮＯ）、Ｓ２２６の処理へ移り、第２期間が経過したか否かを判定する。一方、制御部１０が第３回の放送開始時刻であると判定した場合（Ｓ２２４：ＹＥＳ）、第３回の録画を実行する（Ｓ２２５）。つまり、第３回の画像データ及び音声データがハードディスク７１に記憶される。
【００７０】
Ｓ２２４にて制御部１０が第３回の放送開始時刻でないと判定した場合、又はＳ２２５にて第３回の録画後、制御部１０は第２期間が経過したか否かを判定する（Ｓ２２６）。第２期間は、例えば、第１期間経過の直後から第３回の放送終了後４８時間までの期間である。制御部１０は第２期間が経過していないと判定した場合（Ｓ２２６：ＮＯ）、Ｓ２０５に戻って、録画された初回放送の再生指示があったか否かを再び判定する。一方、制御部１０は第２期間が経過したと判定した場合（Ｓ２２６：ＹＥＳ）、録画予約部１３に記憶している第４回以降の録画予約に係るデータを取り消す（Ｓ２２７）。
【００７１】
また、ユーザによる「留保」のコマンドボタンの操作がされず、次回以降の録画を行うか否かの決定を次回の通知時まで留保することを示す信号を受け付けていない場合、制御部１０が留保の指示がなかったと判定する（Ｓ２２３：ＮＯ）。この場合、ユーザによる「する」のコマンドボタンの操作及び「留保」のコマンドボタンの操作もないことから、「しない」のコマンドボタンが操作されたことに判定し、つまり、次回以降の録画を行わないことを示す信号を受け付けた場合は、録画予約部１３に記憶している第４回以降の録画予約に係るデータを取り消す（Ｓ２２７）。
【００７２】
実施の形態３
本発明の実施の形態３は長期間ユーザが不在の場合でも適切に連続番組を記録する形態に関する。図１２乃至図１４は実施の形態３に係るレコーダの制御部１０の処理順序を示すフローチャートである。説明の便宜上、実施の形態３に係るレコーダは、上述したように新番組自動録画機能を備えているとし、当該機能に係る処理を例として説明する。かつ、実施の形態１と同様、第１期間は、例えば、初回放送の終了直後から第２回放送終了後２４時間までの期間であり、第２期間は、第１期間経過の直後から次回の放送直前までの期間であるとする。
【００７３】
取得した電子番組情報は記憶部７のハードディスク７１に記憶され、制御部１０はハードディスク７１に記憶している電子番組情報に基づき、新番組があるか否かを判定する（Ｓ３０１）。制御部１０は新番組がないと判定した場合（Ｓ３０１：ＮＯ）、新番組があると判定するまで判定を続けるが、制御部１０は新番組があると判定した場合（Ｓ３０１：ＹＥＳ）、新番組の初回放送を録画する（Ｓ３０２）。
【００７４】
次いで制御部１０は、８日以内にＳ３０１における新番組のタイトルと同一タイトルの番組の放送があるか否かを判定する（Ｓ３０３）。制御部１０は、８日以内にＳ３０１における新番組のタイトルと同一タイトルの番組の放送がないと判定した場合（Ｓ３０３：ＮＯ）、Ｓ３０１に戻るが、８日以内にＳ３０１における新番組のタイトルと同一タイトルの番組（連続番組）の放送があると判定した場合（Ｓ３０３：ＹＥＳ）、録画予約部１３にＳ３０２で録画した連続番組の次回以降の録画予約を指示する（Ｓ３０４）。録画予約部１３には次回以降の録画に係る番組の放送時刻、タイトル等がハードディスク７１の電子番組情報に基づき、記憶される。
【００７５】
その後、制御部１０は、録画された初回放送の再生指示があったか否かを判定する（Ｓ３０５）。制御部１０は録画された初回放送の再生指示があったと判定した場合（Ｓ３０５：ＹＥＳ）、次回以降の録画指示があったか否かを判定する（Ｓ３０６）。以降、Ｓ３０６からＳ３１２までの処理は、実施の形態１のＳ１０６からＳ１１２までの処理と同様であるので、詳しい説明は省略する。
【００７６】
一方、制御部１０は録画された初回放送の再生指示がなかったと判定した場合（Ｓ３０５：ＮＯ）、第２回の放送開始時刻であるか否かを判定する（Ｓ３１３）。制御部１０が第２回の放送開始時刻でないと判定した場合（Ｓ３１３：ＮＯ）、Ｓ３１５の処理へ移り、第１期間が経過したか否かを判定する。一方、制御部１０が第２回の放送開始時刻であると判定した場合（Ｓ３１３：ＹＥＳ）、ハードディスク７１の電子番組情報に基づき、第２回の録画を実行する（Ｓ３１４）。つまり、第２回の画像データ及び音声データがハードディスク７１に記憶される。
【００７７】
Ｓ３１３にて制御部１０が第２回の放送開始時刻でないと判定した場合、又はＳ３１４にて第２回の録画後、制御部１０は第１期間が経過したか否かを判定する（Ｓ３１５）。第１期間は、例えば、初回放送の終了直後から第２回放送終了後２４時間までの期間である。制御部１０は第１期間が経過していないと判定した場合（Ｓ３１５：ＮＯ）、Ｓ３０５に戻って、録画された初回放送の再生指示があったか否かを再び判定する。一方、制御部１０は第１期間が経過したと判定した場合（Ｓ３１５：ＹＥＳ）、電源オンの指示があったか否かを判定する（Ｓ３１６）。かかる判定は、受付部１１又はリモコンＲを介して電源オンの指示に係る信号を受け付けたか監視することにより行われる。
【００７８】
制御部１０は電源オンの指示がなかったと判定した場合（Ｓ３１６：ＮＯ）、第２期間が経過したか否かを判定する（Ｓ３２３）。当該判定は、制御部１０が、第２期間が経過した旨の通知を計時部１６から取得することにより行われる。第２期間は、例えば、第１期間経過の直後から第３回の放送開始時刻直前までの期間である。制御部１０は第２期間が経過していないと判定した場合（Ｓ３２３：ＮＯ）、Ｓ３１６に戻って、電源オンの指示があったか否かを再び判定する。一方、制御部１０は第２期間が経過したと判定した場合（Ｓ３２３：ＹＥＳ）、録画予約部１３の録画予約の取消を禁止する（Ｓ３２４）。制御部１０は録画予約部１３に記憶しているデータに基づき、第２期間経過後に放送される第３回以降の録画を実行する（Ｓ３２５）。
【００７９】
一方、制御部１０は電源オンの指示があったと判定した場合（Ｓ３１６：ＹＥＳ）、第１期間内に初回放送の再生があったか否かを判定する（Ｓ３１７）。制御部１０は第１期間内に初回放送の再生があったと判定した場合（Ｓ３１７：ＹＥＳ）、処理を終了する。一方、制御部１０は第１期間内に初回放送の再生がなかったと判定した場合（Ｓ３１７：ＮＯ）次回以降の録画を行うか否かを問う情報の通知を行う（Ｓ３１８）。尚、Ｓ３１８以降の処理は、実施の形態１のＳ１１７以降の処理と同様であるので、詳しい説明は省略する。
【００８０】
上述したような処理を行うことにより、例えば一か月以上の長い期間の留守にも対応することが出来る。つまり、第２期間内に一回も電源オンの指示を受付けていない場合は、第２期間が経過しても第３回以降の録画予約を取り消さず、第３回以降の録画を実行するので、長い期間の留守により、次回の放送時刻（又は次回後）までに次回以降の録画を行うか否かに対する決定をユーザが行うことが出来なかった場合にも対応することが出来る。
【００８１】
本発明は以上の記載に限るものでない。例えば、録画された初回放送の再生がなかったと判定された場合において、受付部１１又はリモコンＲを介して録画された初回放送の削除指示に係る信号を割り込み信号として受け付けた場合は、次回以降の録画予約を取り消すように構成してもよい。
【００８２】
本発明は以上の記載に限るものでない。例えば、次回以降の録画予約を行う前、ユーザによる次回以降の録画予約がされているか否かの判定を行い、当該判定結果に基づき、次回以降の録画予約を行うように構成しても良い。
【００８３】
また、以上の実施の形態１乃至実施の形態３においては、第１期間は初回放送の直後から所定期間であり、第２期間は第１期間経過の直後から所定期間である場合を例として説明したが、これに限るものでない。例えば、受付部１１又はリモコンＲを介して第１期間及び第２期間の変更に係る指示を受け付けることが出来るように構成することにより、ユーザが必要に応じて第１期間及び第２期間が変更できるようにしても良い。
【００８４】
また、以上の実施の形態１乃至実施の形態３においては、８日以内に同一タイトルの番組の放送があるか否かを判定し、ある場合は次回以降の録画を予約するように構成された例について説明したが、これに限るものでなく、ユーザの必要に応じて例えば１５日、１月等に変更可能に構成しても良い。
【００８５】
また、以上の実施の形態１乃至実施の形態３においては、テレビ番組を録画する場合を例として説明したが、これに限るものでなく、ラジオ番組の録音にも適用可能であることは言うまでもない。
【００８６】
また、以上の実施の形態１乃至実施の形態３においては、次回以降の録画を行うか否かを問うダイアログボックスを外部表示部に表示することにより、次回以降の録画を行うか否かを問う情報の通知（出力）を行う場合を例として説明したが、これに限るものでない。前記通知は、例えば、次回以降の録画を行うか否かを問う内容の音声案内によるものであってもよく、所定のランプを設け、当該ランプを点滅させるものであっても良い。
【００８７】
また、以上の実施の形態１乃至実施の形態３においては、レコーダが、電子番組情報に基づき、新番組がある場合は当該新番組の初回を自動的に録画する機能を備えており、自動録画された初回以降の録画に対する処理を例として説明したがこれに限るものでない。例えば、新番組でなくても、ユーザが受付部１１又はリモコンＲを操作することによって連続番組の所定放送回を録画した場合、録画された所定放送回の次回以降の録画に対しても、適用可能であることは言うまでもない。
【００８８】
実施の形態４
図１５は実施の形態４に係るレコーダの要部構成を示すブロック図である。実施の形態４に係るレコーダを動作させるためのプログラムは、本実施の形態４のように、通信部１を介してダウンロードすることも可能である。その他、ＵＳＢ(Universal Serial Bus)メモリ等の可搬形記録媒体（以下、ＵＳＢメモリ）１８で提供することも可能である。
【００８９】
実施の形態４に係るレコーダは、記録予約をさせ、記憶部７へ記録させ、再生があったか否かを判定させ、記録予約の取り消し等をさせるプログラム等が記録されたプログラムを、通信部１を介してダウンロードする。その他、ＵＳＢメモリスロット等のＩ／Ｆ１５に当該プログラムが記憶されたＵＳＢメモリ１８を挿入する。ダウンロードされたプログラムまたはＵＳＢメモリ１８から読み出されたプログラムは、制御部１０の指示のもと記憶部７に記憶される。かかるプログラムはＲＡＭ２０にロードして実行される。これにより実施の形態１乃至３で述べたレコーダとして機能する。
【００９０】
本実施の形態４は以上の如き構成としており、その他の構成及び作用は実施の形態１乃至実施の形態３と同様であるので、対応する部分には同一の参照番号を付してその詳細な説明を省略する。
【図面の簡単な説明】
【００９１】
【図１】本発明の実施の形態１に係るレコーダの要部構成を示すブロック図である。
【図２】本発明の実施の形態１に係るレコーダの作用の概要を示す説明図である。
【図３】本発明の実施の形態１に係るレコーダの制御部の処理順序を示すフローチャートである。
【図４】本発明の実施の形態１に係るレコーダの制御部の処理順序を示すフローチャートである。
【図５】本発明の実施の形態１に係るレコーダの制御部の処理順序を示すフローチャートである。
【図６】次回以降の録画を行うか否かを問うダイアログボックスの一例を示す例示図である。
【図７】次回以降の録画を行うか否かを問うダイアログボックスの一例を示す例示図である。
【図８】本発明の実施の形態２に係るレコーダの作用の概要を示す説明図である。
【図９】本発明の実施の形態２に係るレコーダの制御部の処理順序を示すフローチャートである。
【図１０】本発明の実施の形態２に係るレコーダの制御部の処理順序を示すフローチャートである。
【図１１】本発明の実施の形態２に係るレコーダの制御部の処理順序を示すフローチャートである。
【図１２】本発明の実施の形態３に係るレコーダの制御部の処理順序を示すフローチャートである。
【図１３】本発明の実施の形態３に係るレコーダの制御部の処理順序を示すフローチャートである。
【図１４】本発明の実施の形態３に係るレコーダの制御部の処理順序を示すフローチャートである。
【図１５】本発明の実施の形態４に係るレコーダの要部構成を示すブロック図である。
【符号の説明】
【００９２】
１  通信部
２  ＢＳ／ＣＳチューナ部
３  地上波チューナ部
７  記憶部
７１  ハードディスク
１０  制御部
１１  受付部
１３  録画予約部
１６  計時部
１８  ＵＳＢメモリ
１９  ＲＯＭ
２０  ＲＡＭ
【図１】
2009141894.tif 000003
【図２】
2009141894.tif 000004
【図３】
2009141894.tif 000005
【図４】
2009141894.tif 000006
【図５】
2009141894.tif 000007
【図６】
2009141894.tif 000008
【図７】
2009141894.tif 000009
【図８】
2009141894.tif 000010
【図９】
2009141894.tif 000011
【図１０】
2009141894.tif 000012
【図１１】
2009141894.tif 000013
【図１２】
2009141894.tif 000014
【図１３】
2009141894.tif 000015
【図１４】
2009141894.tif 000016
【図１５】
2009141894.tif 000017